(57)【特許請求の範囲】
【請求項１】
樋受具本体に外側樋耳係止部、内側樋耳係止部及び建物に対する取付け部を設け、上記内側樋耳係止部に対向して上記樋受具本体に内側樋耳の抜止め部材を設けてなる樋受具において、上記樋受具本体に、上記内側樋耳係止部に対して上記内側樋耳の幅より大きい間隔をおいて対向するスライド取付け部を設け、上記スライド取付け部に上記抜止め部材の基部を上下方向にスライド自在に取付け、上記基部から上記内側樋耳係止部に向けて延び出した押さえ部を上記内側樋耳の幅より狭く、かつ樋の板厚より大きい間隙ｇで該内側樋耳係止部に対向させ、上記抜止め部材が自重で最下端まで下降した状態において上記押さえ部が内側樋耳係止部に係止された内側樋耳に接触しない範囲で接近するようにしたことを特徴とする樋受具。
【請求項２】
上記抜止め部材の押さえ部の先端に上向き屈曲部を設け、その上向き屈曲部の上端部を上記樋受具本体の案内孔に遊嵌したことを特徴とする請求項１に記載の樋受具。
【請求項３】
上記の内側樋耳係止部と上記スライド取付け部との位置関係を、前者が建物から遠い方、後者を建物から近い方となるように形成したことを特徴とする請求項１又は２に記載の樋受具。
【請求項４】
樋受具本体に外側樋耳係止部、内側樋耳係止部及び建物に対する取付け部を設け、上記外側樋耳係止部及び内側樋耳係止部に対向して上記樋受本体にそれぞれ外側樋耳及び内側樋耳の抜止め部材を設けてなる樋受具において、上記樋受具本体に、上記外側樋耳係止部に対して上記外側樋耳の幅より大きい間隔をおいて、また内側樋耳係止部に対して上記内側樋耳の幅より大きい間隔をおいて、それぞれ対向するスライド取付け部を設け、上記各スライド取付け部に外側抜止め部材の基部及び内側抜止め部材の基部をそれぞれスライド自在に取付け、上記外側抜止め部材の基部から上記外側樋耳係止部に向けて延び出した押さえ部を上記外側樋耳の幅より狭く、かつ樋の板厚より大きい間隙ｇで該外側樋耳係止部に対向させ、上記抜止め部材が自重で最下端まで下降した状態において上記押さえ部が外側樋耳係止部に係止された外側樋耳に接触しない範囲で接近し、上記内側抜止め部材の基部から上記内側樋耳係止部に向けて延び出した押さえ部を上記内側樋耳の幅より狭く、かつ樋の板厚より大きい間隙ｇで該内側樋耳係止部に対向させ、上記抜止め部材が自重で最下端まで下降した状態において上記押さえ部が内側樋耳係止部に係止された内側樋耳に接触しない範囲で接近するようにしたことを特徴とする樋受具。
【発明の詳細な説明】
【０００１】
【発明の属する技術分野】
この発明は樋受具に関するものである。
【０００２】
【従来の技術】
樋受具の構造は、一般的に樋受具本体に外側樋耳係止部、内側樋耳係止部及び建物に対する取付け部を設け、上記内側樋耳係止部に対向して内側樋耳の抜止め部材を設けたものである。
【０００３】
その一つの例として、鋼板を波形に屈曲形成した折板葺きの屋根に取付けられる樋受具を図１８に示す。この樋受具は、樋受具本体１を帯金を屈曲して形成し、その中央部分に取付け部としての取付けボルト１９を固定している。樋受具本体１の外端部に外側樋耳係止部４が屈曲形成され、また内端部に内側樋耳係止部９が屈曲形成される。
【０００４】
上記の内側樋耳係止部９に対向して抜止め部材としての押さえばね１０が固定され、その押さえばね１０の先端を内側樋耳係止部９に接近させている。
【０００５】
上記の取付けボルト１９は屋根２４の軒先の山部分に固定され、樋３１を取付けて、屋根２４の谷部分に設けられた排水孔２８から流れ落ちる雨水を受ける。
【０００６】
図１９は他の例であり、この場合は、樋受具本体１の外側樋耳係止部４にも押さえばね１０を取付けたものであり、内側及び外側が対称形をなしている。
【０００７】
図２０はその他の例であり、一般家屋の屋根に取付けられる形式のものである。この場合は樋受具本体１の内側端に取付け部３５を一体に設け、その取付け部３５の外側（建物と反対側）に別部材でなる内側樋耳係止部９を取付け、その内側樋耳係止部９に対向して押さえばね１０を取付けている。
【０００８】
上記各従来例における押さえばね１０は、樋３１を取付ける際に、その樋耳で押上げることにより上向きに弾性変形され、樋耳が内側樋耳係止部９又は外側樋耳係止部４に嵌ると元の状態に戻り、樋３１に風が当たるなどして変形した場合に樋を押さえ、樋耳の抜け出しを防止する機能をもったものである。
【０００９】
【発明が解決しようとする課題】
上記の押さえばね１０は、樋３１に左程荷重がかからない場合は十分に機能するが、強風にあおられるなどして大きな荷重が水平方向或いは上下方向に作用すると、押さえばね１０が変形して樋耳が抜け出すおそれがある。
【００１０】
このような問題は、特に工場の折板葺き屋根などに取付けられる大形の樋の場合に顕著である。
【００１１】
そこで、この発明は樋耳の抜止め部材に改良を加えることにより、樋が抜け出すおそれのない樋受具を提供することを目的とする。
【００１２】
【課題を解決するための手段】
上記の目的を達成するために、この発明は、樋受具本体に外側樋耳係止部、内側樋耳係止部及び建物に対する取付け部を設け、上記内側樋耳係止部に対向して上記樋受具本体に内側樋耳の抜止め防止部材を設けてなる樋受具において、上記樋受具本体に、上記内側樋耳係止部に対して上記内側樋耳の幅より大きい間隔をおいて対向するスライド取付け部を設け、上記スライド取付け部に上記抜止め部材の基部を上下方向にスライド自在に取付け、上記基部から上記内側樋耳係止部に向けて延び出した押さえ部を上記内側樋耳の幅より狭い間隙で該内側樋耳係止部に対向させた構成とした。
【００１３】
上記抜止め部材の押さえ部の先端に上向き屈曲部を設け、その上向き屈曲部の上端部を上記樋受具本体の案内孔に遊嵌した構成や、上記の内側樋耳係止部と上記スライド取付け部との位置関係を、前者が建物から遠い方、後者を建物から近い方となるように形成した構成を採用することができる。
【００１４】
また、樋の種類に応じて、樋受具本体に外側樋耳係止部、内側樋耳係止部及び建物に対する取付け部を設け、上記外側樋耳係止部及び内側樋耳係止部に対向して上記樋受本体にそれぞれ外側樋耳及び内側樋耳の抜止め部材を設けてなる樋受具において、上記樋受具本体に、上記外側樋耳係止部に対して上記外側樋耳の幅より大きい間隔をおいて、また内側樋耳係止部に対して上記内側樋耳の幅より大きい間隔をおいて、それぞれ対向するスライド取付け部を設け、上記各スライド取付け部に外側抜止め部材の基部及び内側抜止め部材の基部をそれぞれスライド自在に取付け、上記外側抜止め部材の基部から上記外側樋耳係止部に向けて延び出した押さえ部を上記外側樋耳の幅より狭い間隙で該外側樋耳係止部に対向させ、上記内側抜止め部材の基部から上記内側樋耳係止部に向けて延び出した押さえ部を上記内側樋耳の幅より狭い間隙で該内側樋耳係止部に対向させた構成をとる場合もある。
【００１５】
上記の各構成において、抜止め部材は樋を取付ける際はその樋耳によって押上げられ上向きにスライドするが、樋耳が樋耳係止部に嵌まると、自重で下降し、その押さえ部が樋耳に接近し、樋耳の抜け止めを図る。
【００１６】
【発明の実施の形態】
図１から図３に示した第１実施形態の樋受具は、帯金を屈曲して形成された樋受具本体１の外端（建物から遠い方の端部）の上向き屈曲部１ａに上下方向に長い外端部材２の中程をリベット３により固定している。外端部材２の上端に内向きにわん曲した外側樋耳係止部４が設けられ、また下端に逆Ｌ形の樋押さえ部５が設けられる。
【００１７】
上記樋受具本体１の建物側の端部を上向きに屈曲して、上下方向のスライド取付け部６を形成し、そのスライド取付け部６に上下方向の案内溝７を形成する。
【００１８】
上記スライド取付け部６の上端を内向きに屈曲して水平部８を設け、その水平部８の内端（建物に近い方の端部）を下向きに屈曲して、内側樋耳係止部９を形成する。
【００１９】
上記の内側樋耳係止部９は水平部８の内端に形成された逆Ｌ形の係止段部１１と、その係止段部１１に下向きに形成された案内部１２とから成る。
【００２０】
上記スライド取付け部６と案内部１２との間隔Ｗは、樋３１の内側樋耳３４の幅より大きい間隔に設定される。
【００２１】
上記のスライド取付け部６に取付けられる抜止め部材１３は、図２に示すように、該スライド取付け部６の幅とほぼ等しい幅の基板１４の上端中央に押さえ腕１５を設け、その押さえ腕１５を内向き（建物の方向）に屈曲して案内溝７に挿通している。
【００２２】
上記の基板１４はスライド取付け部６の外側面に沿わせると共に、案内溝７に挿通したリベット１６により取付けられる。
【００２３】
押さえ腕１５は水平に延びその先端（内端）は案内部１２と間隙ｇをおいて対向する。この間隙ｇは、樋３１の内側樋耳３４の幅より小さく、かつ樋３１の材料の板厚より大きく設定される。
【００２４】
上記押さえ腕１５の先端は上向き屈曲部１７となっている。この上向き屈曲部１７の上端部は、樋受本体１の水平部８に設けた案内孔１８に上下動自在に遊嵌され、抜止め部材１３は上下方向に案内される。
【００２５】
上記樋受具本体１の中央部分には、取付けボルト１９の下端ねじ部２１が挿入され、上下一対のナット２２で樋受本体１を挟むことにより調節自在に固定される。また取付けボルト１９の上端ねじ部２３には折板葺きの屋根２４に固定するための上下一対のナット２５及び座金２６及び弾性部材２７が装着される。
【００２６】
第１実施形態の樋受具は以上のごときものであり、取付けボルト１９の上端部を屋根２４の山部分に固定し、その屋根２４の谷部分に設けた排水孔２８の下方に取付ける。
【００２７】
樋３１は、先に外側樋耳３２を外側樋耳係止部４に係止させ、その樋３１の外側壁下部に設けた屈曲部３３を樋押さえ部５に対向させる。一方、内側樋耳３４を抜止め部材１３の押さえ腕１５の下面に当て、図３に示すように該抜止め部材１３を上方にスライドさせて押上げる。
【００２８】
このとき、内側樋耳３４が案内部１２に当って通常の状態から若干外方へ押されて弾性変形し、係止段部１１の部分に至ると復元して係止段部１１に嵌る。
【００２９】
内側樋耳３４が係止段部１１に嵌ると、該内側樋耳３４と押さえ腕１５との係合が外れるため、抜止め部材１３はその自重で下降し、押さえ腕１５の先端と上向き屈曲部１７とが内側樋耳３４に接近し、その抜け止めを図る。
【００３０】
図４に示した第２実施形態は樋受本体１の外端側を内端側と同一形状にしたものである。即ち内端側は、前記の第１実施形態と同様に、上下方向のスライド取付け部６、水平部８及び内側樋耳係止部９を設けると共に、スライド取付け部６に抜止め部材１３を上下方向にスライド自在に取付けている。
【００３１】
また、外端側にも上下方向のスライド取付け部６’を設け、そのスライド取付け部６’の上端を外方に屈曲して水平部８’を形成し、その水平部８’の先端を下向きに屈曲して外側樋耳係止部４を設けている。外側樋耳係止部４は内方にＬ形に屈曲した係止段部１１’を形成し、その係止段部１１’の内端を下向きに屈曲して案内部１２’を形成している。スライド取付け部６' に上下方向の案内溝７' が形成される。
【００３２】
上記案内部１２’とスライド取付け部６’との間隔Ｗは、前述の場合と同様に外側樋耳３２の幅より大に設定される。
【００３３】
上記のスライド取付け部６’に上下方向にスライド自在に取付けられる抜止め部材１３’も前記の場合と同様に、基板１４’に押さえ腕１５’を一体に設けたものであり、その押さえ腕１５’を案内溝７’に挿通すると共に、その押さえ腕１５’の先端と案内部１２’との間隙ｇを外側樋耳３２の幅より小さく、かつ樋３１の板厚より大きく設定している。押さえ腕１５’の先端に上向き屈曲部１７’が形成され、その上端部は、樋受本体１の水平部８’の案内孔１８’に上下動自在に遊嵌される。
【００３４】
上記の抜止め部材１３’の基板１４’は案内溝７’に挿通したリベット１６’により、スライド自在に取付けられる。
【００３５】
なお、樋受本体１の中央部に固定される取付けボルト１９の構造は第１実施例と同じであるので、同一部分に同一符号を示すにとどめその説明を省略する。
【００３６】
第２実施形態の樋受具は以上のごときものであり、樋３１を取付ける際は、内側樋耳３４及び外側樋耳３２をそれぞれ若干内方へ弾性変形させながら案内部１２、１２’に沿わせて下方から押し上げる。各樋耳３４、３２によりそれぞれ抜止め部材１３、１３’を押し上げる。各樋耳３４、３２が内側樋耳係止部９及び外側樋耳係止部４に嵌まると、各抜止め部材１３、１３’が自重によって下降し、図４の状態となり、各樋耳３４、３２の抜け止めが図られる。
【００３７】
図５に示した第３実施形態は、一般の家屋の屋根に取付ける形式の樋受具であり、樋受具本体１の内端に建物Ａに対する取付け部３５を設け、その取付け部３５の上端に内側樋耳係止部９を設けている。内側樋耳係止部９は、上記取付け部３５の上端に形成されたＬ形の案内部１２及びその案内部１２上端に形成された逆Ｌ形の係止段部１１とから成り、その係止段部１１の上端は外向に屈曲されて水平部８となっている。また水平部８の外端を下向きに屈曲してスライド取付け部６を設けている。
【００３８】
上記スライド取付け部６には上下方向の案内溝７が設けられ、その案内溝７に前記各実施形態と同じ形状の抜止め部材１３が上下方向にスライド自在に取付けられる。上記スライド取付け部６と案内部１２との間隔Ｗ及び抜止め部材１３の押さえ腕１５の先端と案内部１２との間隙ｇの大きさも、前述の各実施形態の場合と同じである。
【００３９】
樋受本体１の上記スライド取付け部６の下端を外向き水平方向に屈曲し、その水平部分の先端に外側樋耳係止部４が設けられる。
【００４０】
上記第３実施形態の樋受具は、その取付け部３５を釘３６により建物Ａに固定する。樋３１の掛け方及び抜止め部材１３の作用は、前述の各実施形態と同じである。
【００４１】
図６に示した第４実施形態は、前記の第３実施形態のものと同様に通常の家屋に取付けられる形式のものであるが、この場合は、内側樋耳係止部９を別部材により形成している。即ち、樋受本体１の内端に設けた取付け部３５の上端を外向きに屈曲して水平部８を形成し、更にその水平部８の内端を下向きに屈曲して上下方向のスライド取付け部６を設けている。
【００４２】
上記の水平部８の下面に別部材でなる内側樋耳係止部９をリベット３７により固着している。内側樋耳係止部９は、水平部８の下面に沿った内端部を下向きに屈曲し、更に外向きに屈曲して係止段部１１を形成し、係止段部１１の外端を下向きに屈曲して案内部１２を形成している。
【００４３】
上記スライド取付け部６の案内溝７に抜止め部材１３が上下方向にスライド自在に取付けられる点、及びそのスライド取付け部６と案内部１２との間隔Ｗ、押さえ腕１５の先端と案内部１２の間隙ｇの大きさも前記各実施形態と同様である。
【００４４】
次に、上記の第１〜第４実施形態における抜止め部材１３の第１の変形例を図７（ａ）、（ｂ）に示す。この場合の抜止め部材１３は、スライド取付け部６に沿った基板１４とその基板１４の上端を内向き（建物側）に屈曲して水平の押さえ腕１５を同一幅の逆Ｌ形金属板により形成し、その両側縁に補強用の屈曲縁３７、３７を設けたものである。上記の基板１４の部分をスライド取付け部６の内側面（建物側の面）に沿わせ、案内溝７に挿通したリベット１６により上下動自在に取付ける。その取付け状態において、押さえ腕１５の先端は案内部１２に対して間隙ｇをもって対向し内側樋耳３４の抜止めを図る。
【００４５】
図８（ａ）、（ｂ）に示した第２変形例は、図７（ａ）、（ｂ）に示した第１変形例の構成に加えて、抜止め部材１３の押さえ腕１５の先端部分に、ピン穴３８を設け、そのピン穴３８に上下両頭部を有するピン３９を上下方向に自由に挿通したものである。
【００４６】
このピン３９は、樋３１を取付ける際に内側樋耳３４で押上げられる。内側樋耳３４は案内部１２に沿って上昇しつつそのピン３９と共に抜止め部材１３を持ち上げる（図８（ａ）参照）。抜止め部材１３とピン３９は内側樋耳３４が係止段部１１に嵌まると、それぞれのその自重により下降し、内側樋耳３４の抜止めを図る。
【００４７】
上記のピン３９は、樋３１が強風などによって変形した場合（図８（ｂ）の一点鎖線参照）に、そのピン３９の下端頭部が樋３１の内側面に当たり、それ以上の変形を防止する。このため、抜止め部材１３単独の場合に比べ一層樋耳が外れ難くなる。
【００４８】
図９（ａ）、（ｂ）に示した第３変形例の抜止め部材１３は、一枚の金属板を屈曲して平面視コの字形の嵌合スライド部４１を設け、その嵌合スライド部４１の両側に押さえ板４２、４２を外向きに屈曲形成したものである。
【００４９】
上記の嵌合スライド部４１は、スライド取付け部６に嵌合され、そのスライド取付け部６と対向した面に上下方向の案内溝７が設けられる。また両側の押さえ板４２、４２が内側樋耳３４に対向してその抜止めを図る。間隙Ｗ、間隙ｇは前述と同様の大きさに設定される。
【００５０】
上記の抜止め部材１３は、樋３１を取付ける際に内側樋耳３４により押上げられる。内側樋耳３４が内側樋耳係止部９に嵌ると、抜止め部材１３がその自重で下降し、図９（ａ）に示した抜止め状態となる。
【００５１】
以上の第１〜第３変形例は、内側樋耳３４の抜止め手段について述べたが、図４に示した第２実施形態の外側樋耳３２の抜止め手段にも同様の構造を採用することができる。
【００５２】
以上述べた第１〜第４実施形態及びこれらの変形例の樋受具は、樋３１の内側樋耳３４が建物Ａ側へ突き出した形状をなし、その突き出し部分を係止段部１１に係止する形態、いわゆる外吊り形式である。これに対し、次に述べる第５〜第８実施形態及びその変形例は、いずれも内側樋耳３４が建物Ａと反対側へ突き出した形状をなし（図１０参照）、その突き出し部分を内側樋耳係止部材９’に係止する形態、いわゆる内吊り形式である。
【００５３】
図１０に示した第５実施形態の樋受具は、樋受具本体１の外端の上向き屈曲部１ａに上下方向に長い外端部材２をリベット３により固定し、その外端部材２の上端に外側樋耳係止部４を形成すると共に、下半部に２段のＬ形に屈曲した樋押え部５が形成される。
【００５４】
上記樋受本体１の建物側の端部に上向き屈曲した係止部材取付け部４３を設け、その上端を内向きに屈曲して水平部８を設けている。更にその水平部８の内端を下向きに屈曲して、スライド取付け部６を設けている。スライド取付け部６には上下方向の案内溝７が設けられる。
【００５５】
上記の係止部材取付け部４３の建物側の面にＬ形の内側樋耳係止部材９' がリベット４４により固定される。内側樋耳係止部材９' の内端とスライド取付け部６との間隔Ｗは樋３１の内側樋耳３４の幅より大である。内側樋耳３４は前述のように建物と反対側に突き出している。いわゆる内吊り形式の樋である。
【００５６】
上記のスライド取付け部６には、抜止め部材１３が上下方向にスライド自在に取付けられる。この抜止め部材１３は、図１１に示すように、基板１４の両側に押さえ腕となる両側板１５ａを屈曲形成し、平面視コの字形としたものであり、リベット１６により案内溝７にスライド自在に取付けられる。両側板１５ａの下端面に緩やかにわん曲した案内面５０が形成される。また、その両側板１５ａと内側樋耳係止部材９' との間隙ｇは、内側樋耳３４の幅より小さく、樋３１の板厚より大きく形成される。また、上記の案内面５０は、通常の状態では、内側樋耳係止部材９' より下方にある。
【００５７】
なお、取付けボルト１９は、前述の第１実施形態と同様に、ナット２２により樋受具本体１の中間部分に取付けられる。
【００５８】
第５実施形態の樋受具は以上のごときものであり、これに樋３１を取付ける際は、図１２に示すように、外側樋耳３２に係止したのち、内側樋耳３４に抜止め部材１３の下端の案内面５０を押上げつつ、内側樋耳係止部材９' の先端で一点鎖線の状態から実線の状態へ内側樋耳３４を若干外方へ弾性変形させる。内側樋耳３４が内側樋耳係止部材９' に係止されると、抜止め部材１３が自重で下降し、図１０の状態となって内側樋耳３４の外れを防止する。
【００５９】
図１３は第６実施形態であり、この場合は前記の第５実施形態（図１０参照）における樋受本体１及び外端部材２を比較的薄い板厚の材料により形成し、これらの両側縁に屈曲縁４５を形成することにより補強したものである。
【００６０】
図１４に示した第７実施形態は、前記の第５実施形態（図１０参照）の取付けボルト１９に代えて帯金製の取付け部材４６を用いたものであり、取付け部材４６の先端に水平屈曲部４７を設けて、これを樋受具本体１の長穴４８上に重ね、ボルト・ナット４９でスライド自在に結合している。取付け部材４６は、樋受具本体１の水平部８の上方を越えて建物Ａ側に延び、更に下向きに屈曲して取付け部５１を設け、その取付け部５１を釘３６で建物Ａに固定するようにしている。
【００６１】
図１５に示した第８実施形態は、前記の第５実施形態（図１０参照）の抜止め部材１３を変形したものである。この場合の抜止め部材１３は、基板１４の上端を建物と反対方向に屈曲して押さえ腕１５を形成し、その押さえ腕１５の先端に上向き屈曲部１７を設け、更にその上向き屈曲部１７の上端を水平部８の案内孔１８に遊嵌したものである。
【００６２】
図１６及び図１７は、抜止め部材１３の各種の変形例を示すものである。図１６（ａ）、（ｂ）は、スライド取付け部６の内面（建物と反対側の面）に抜止め部材１３を沿わせ、その上端を斜め上向きに屈曲して押さえ腕１５を形成し、これらの両側縁５３をスライド取付け部６の両側に沿わせて案内するようにしたものである。図１６（ｃ）、（ｄ）は上記の両側縁５３に代えて、コの字形の案内部材５４を一体化したものである。
【００６３】
図１７（ａ）〜（ｄ）は水平部８に上下両端に頭部を有するピン５５を遊嵌し、更にそのピン５５を抜止め部材１３の押さえ腕１５に遊嵌したものである。抜止め部材１３の両側縁５３がスライド取付け部６の両側縁に遊嵌され、上下方向のスライドを案内する。抜止め部材１３は、ピン５５の下端頭部５６で抜止めが図られ、ピン５５と共に、内側樋耳３４で上方に押上げられる。
【００６４】
【発明の効果】
以上のように、この発明は従来板ばねの一端を固定し、他端を樋耳の内側に接近させた構造によって樋耳の抜止めを図っていた構造にかえて、抜止め部材を上下方向にスライド自在に取付け、その抜止め部材によって樋耳の抜止めを図るようにしたものであるから、樋に強い力が作用してもばねのように変形するおそれがなく、確実に樋耳の外れを防止することができる。
【図面の簡単な説明】
【図１】第１実施形態の使用時の断面図
【図２】同上の斜視図
【図３】同上の樋取付け時の断面図
【図４】第２実施形態の使用時の断面図
【図５】第３実施形態の使用時の断面図
【図６】第４実施形態の使用時の断面図
【図７】（ａ）第１変形例の一部断面図
（ｂ）同上の一部斜視図
【図８】（ａ）第２変形例の一部断面図
（ｂ）同上の一部斜視図
【図９】（ａ）第３変形例の一部断面図
（ｂ）同上の一部斜視図
【図１０】第５実施形態の使用時の断面図
【図１１】同上の斜視図
【図１２】同上の使用時の断面図
【図１３】第６実施形態の斜視図
【図１４】第７実施形態の使用時の断面図
【図１５】第８実施形態の使用時の断面図
【図１６】（ａ）抜止め部材の変形例の使用状態の斜視図
（ｂ）（ａ）図の断面図
（ｃ）他の変形例の使用状態の斜視図
（ｄ）（ｃ）図の断面図
【図１７】（ａ）抜止め部材の変形例の使用状態の斜視図
（ｂ）同上の断面図
（ｃ）同上の断面図
（ｄ）抜止め部材の変形例の斜視図
【図１８】従来例の使用時の断面図
【図１９】他の従来例の使用時の断面図
【図２０】その他の従来例の使用時の断面図
【符号の説明】
１  樋受具本体
２  外端部材
３  リベット
４  外側樋耳係止部
５  樋押さえ部
６、６’  スライド取付け部
７、７’  案内溝
８、８’  水平部
９  内側樋耳係止部
９'   内側樋耳係止部材
１０  押さえばね
１１、１１’  係止段部
１２、１２’  案内部
１３、１３’  抜止め部材
１４、１４’  基板
１５、１５’  押さえ腕
１５ａ  側板
１６、１６’  リベット
１７、１７’  上向き屈曲部
１８、１８’  案内孔
１９  取付けボルト
２１  下端ねじ部
２２  ナット
２３  上端ねじ部
２４  屋根
２５  ナット
２６  座金
２７  弾性部材
２８  排水孔
３１  樋
３２  外側樋耳
３３  屈曲部
３４  内側樋耳
３５  取付け部
３６  釘
３７  リベット
３８  ピン穴
３９  ピン
４１  嵌合スライド部
４２  押さえ板
４３  係止部材取付け部
４４  リベット
４５  屈曲縁
４６  取付け部材
４７  水平屈曲部
４８  長穴
４９  ボルト・ナット
５０  案内面
５１  取付け部
５２  ピン
５３  側縁
５４  案内部材
５５  ピン
５６  下端頭部
【図１】
0004004602.tif 000002
【図２】
0004004602.tif 000003
【図３】
0004004602.tif 000004
【図４】
0004004602.tif 000005
【図５】
0004004602.tif 000006
【図６】
0004004602.tif 000007
【図７】
0004004602.tif 000008
【図８】
0004004602.tif 000009
【図９】
0004004602.tif 000010
【図１０】
0004004602.tif 000011
【図１１】
0004004602.tif 000012
【図１２】
0004004602.tif 000013
【図１３】
0004004602.tif 000014
【図１４】
0004004602.tif 000015
【図１５】
0004004602.tif 000016
【図１６】
0004004602.tif 000017
【図１７】
0004004602.tif 000018
【図１８】
0004004602.tif 000019
【図１９】
0004004602.tif 000020
【図２０】
0004004602.tif 000021